(57)【特許請求の範囲】
【請求項１】
第１の入力端子と第１の出力端子との間に接続されている第１の伝送線路と、
第２の入力端子と第２の出力端子との間に接続されている第２の伝送線路と、
一端が前記第２の入力端子と接続されている第３の伝送線路と、
一端が前記第１の入力端子と接続されている第４の伝送線路と、
一端が前記第２の出力端子と接続されている第５の伝送線路と、
一端が前記第１の出力端子と接続されている第６の伝送線路と、
一端が前記第３及び第４の伝送線路の他端と接続されている第７の伝送線路と、
一端が前記第５及び第６の伝送線路の他端と接続されている第８の伝送線路と、
前記第７の伝送線路の他端と前記第８の伝送線路の他端との間に接続されている第９の伝送線路と、
前記第７の伝送線路の他端とグランドとの間に接続されている第１の可変容量素子と、
前記第８の伝送線路の他端とグランドとの間に接続されている第２の可変容量素子とを備え、
前記第１及び第２の可変容量素子の容量が調整されることで、前記第１及び第２の入力端子から入力された差動信号に含まれている同相成分の移相量を可変することを特徴とする高周波フィルタ回路。
【請求項２】
前記第１及び第２の入力端子から入力される信号の波長がλ、前記第３及び第４の伝送線路の電気長がθ１、前記第５及び第６の伝送線路の電気長がθ２であるとき、前記第１、第２及び第９の伝送線路の電気長がλ／４、前記第７の伝送線路の電気長が（λ／４）−θ１、前記第８の伝送線路の電気長が（λ／４）−θ２に設定され、
前記第１及び第２の伝送線路の特性インピーダンスが前記第９の伝送線路の特性インピーダンスの２倍、前記第３から第６の伝送線路の特性インピーダンスが前記第７及び第８の伝送線路の特性インピーダンスの２倍、前記第９の伝送線路の特性インピーダンスが前記第７及び第８の伝送線路の特性インピーダンスの√２倍であることを特徴とする請求項１記載の高周波フィルタ回路。
【請求項３】
第１の入力端子と第１の出力端子との間に接続されている第１の伝送線路と、
第２の入力端子と第２の出力端子との間に接続されている第２の伝送線路と、
一端が前記第２の入力端子と接続されている第３の伝送線路と、
一端が前記第１の入力端子と接続されている第４の伝送線路と、
一端が前記第２の出力端子と接続されている第５の伝送線路と、
一端が前記第１の出力端子と接続されている第６の伝送線路と、
一端が前記第３及び第４の伝送線路の他端と接続されている第７の伝送線路と、
一端が前記第５及び第６の伝送線路の他端と接続されている第８の伝送線路と、
前記第７の伝送線路の他端と前記第８の伝送線路の他端との間に接続されている第９の伝送線路と、
前記第７の伝送線路の他端とグランドとの間に接続されている第１の可変容量素子と、
前記第８の伝送線路の他端とグランドとの間に接続されている第２の可変容量素子とを備え、前記第１及び第２の可変容量素子の容量が調整されることで、前記第１及び第２の入力端子から入力された差動信号に含まれている同相成分の移相量を可変する第１の高周波フィルタ回路と、
前記第１の高周波フィルタ回路と回路構成が同一である第２の高周波フィルタ回路と、
差動の中間周波数信号を分配して、分配後の差動の中間周波数信号である第１の差動中間周波数信号を出力するとともに、前記第１の差動中間周波数信号より位相が９０度進んでいる第２の差動中間周波数信号を出力する第１の分配器と、
差動の局部発振信号を分配して、分配後の差動の局部発振信号である第１の差動局部発振信号を出力するとともに、前記第１の差動局部発振信号より位相が４５度進んでいる第２の差動局部発振信号を出力する第２の分配器と、
前記第１の分配器から出力された第１の差動中間周波数信号と前記第２の分配器から出力された第２の差動局部発振信号の２倍波を混合して第１の差動無線周波数信号を生成し、前記第１の差動無線周波数信号を前記第１の高周波フィルタ回路に出力する第１の偶高調波ミクサと、
前記第１の分配器から出力された第２の差動中間周波数信号と前記第２の分配器から出力された第１の差動局部発振信号の２倍波を混合して第２の差動無線周波数信号を生成し、前記第２の差動無線周波数信号を前記第２の高周波フィルタ回路に出力する第２の偶高調波ミクサと、
前記第１の高周波フィルタ回路を通過した第１の差動無線周波数信号と前記第２の高周波フィルタ回路を通過した第２の差動無線周波数信号とを同相合成する同相合成器と
を備えた高周波ミクサ。
【発明の詳細な説明】
【技術分野】
【０００１】
この発明は、差動信号に含まれている同相の不要波を抑圧することが可能な高周波フィルタ回路及び高周波ミクサに関するものである。
【背景技術】
【０００２】
以下の特許文献１に開示されている高周波フィルタ回路は、平衡型端子を有する平衡型高周波素子と移相回路とから構成されている。
この高周波フィルタ回路は、平衡型高周波素子の通過帯域である第１の周波数帯と、平衡型高周波素子の減衰帯域である第２の周波数帯とを有している。
移相回路は、平衡型高周波素子における平衡型端子の間に電気的に接続されており、同相信号成分に対して、第２の周波数帯で共振する直列共振回路として動作する。
これにより、第２の周波数帯における同相信号成分、即ち、差動信号に含まれている同相の不要波（例えば、ノイズ）を低減することができる。
【先行技術文献】
【特許文献】
【０００３】
【特許文献１】特開２００６−１２９１３１号公報（段落番号［０００９］から［００１０］）
【発明の概要】
【発明が解決しようとする課題】
【０００４】
従来の高周波フィルタ回路は以上のように構成されているので、例えば、製造時の寸法誤差などの影響がなく、回路の特性が設計値通りであれば、差動信号に含まれている同相の不要波を抑圧することができる。しかし、製造時の寸法誤差などの影響で、回路の特性が設計値からずれてしまっている状況下では、差動信号に含まれている同相の不要波の位相を調整する手段を備えていないため、同相の不要波を十分に抑圧することができないという課題があった。
【０００５】
この発明は上記のような課題を解決するためになされたもので、差動信号に含まれている同相の不要波の位相を調整することができる高周波フィルタ回路及び高周波ミクサを得ることを目的とする。
【課題を解決するための手段】
【０００６】
この発明に係る高周波フィルタ回路は、第１の入力端子と第１の出力端子との間に接続されている第１の伝送線路と、第２の入力端子と第２の出力端子との間に接続されている第２の伝送線路と、一端が第２の入力端子と接続されている第３の伝送線路と、一端が第１の入力端子と接続されている第４の伝送線路と、一端が第２の出力端子と接続されている第５の伝送線路と、一端が第１の出力端子と接続されている第６の伝送線路と、一端が第３及び第４の伝送線路の他端と接続されている第７の伝送線路と、一端が第５及び第６の伝送線路の他端と接続されている第８の伝送線路と、第７の伝送線路の他端と第８の伝送線路の他端との間に接続されている第９の伝送線路と、第７の伝送線路の他端とグランドとの間に接続されている第１の可変容量素子と、第８の伝送線路の他端とグランドとの間に接続されている第２の可変容量素子とを備え、第１及び第２の可変容量素子の容量が調整されることで、第１及び第２の入力端子から入力された差動信号に含まれている同相成分の移相量を可変するものである。
【発明の効果】
【０００７】
この発明によれば、第７の伝送線路の他端とグランドとの間に接続されている第１の可変容量素子と、第８の伝送線路の他端とグランドとの間に接続されている第２の可変容量素子とを備え、第１及び第２の可変容量素子の容量が調整されることで、第１及び第２の入力端子から入力された差動信号に含まれている同相成分の移相量を可変するように構成したので、差動信号に含まれている同相の不要波の位相を調整することができる効果がある。
【図面の簡単な説明】
【０００８】
【図１】この発明の実施の形態１による高周波フィルタ回路を示す構成図である。
【図２】差動信号が入力された場合の高周波フィルタ回路の等価回路である。
【図３】同相の不要波が入力された場合の高周波フィルタ回路の等価回路である。
【図４】図１の高周波フィルタ回路１の適用例を示す説明図である。
【図５】この発明の実施の形態２による高周波フィルタ回路を適用する高周波ミクサを示す構成図である。
【発明を実施するための形態】
【０００９】
以下、この発明をより詳細に説明するために、この発明を実施するための形態について、添付の図面にしたがって説明する。
【００１０】
実施の形態１．
図１はこの発明の実施の形態１による高周波フィルタ回路を示す構成図である。
図１において、高周波フィルタ回路１は端子１１〜１４を備えており、端子１１は差動信号の一方の信号が入力される入力端子２１（第１の入力端子）と電気的に接続され、端子１２は差動信号の他方の信号が入力される入力端子２２（第２の入力端子）と電気的に接続されている。
また、高周波フィルタ回路１の端子１３は差動信号の一方の信号を出力する出力端子２３（第１の出力端子）と電気的に接続され、端子１４は差動信号の他方の信号を出力する出力端子２４（第２の出力端子）と電気的に接続されている。
【００１１】
伝送線路３１は端子１１と端子１３との間に接続されており、電気長がλ／４で、特性インピーダンスがＺ１の第１の伝送線路である。λは入力端子２１，２２から入力される差動信号の波長である。
伝送線路３２は端子１２と端子１４との間に接続されており、電気長がλ／４で、特性インピーダンスがＺ１の第２の伝送線路である。
【００１２】
伝送線路３３は一端が端子１２と接続されており、電気長がθ１で、特性インピーダンスがＺ２の第３の伝送線路である。
伝送線路３４は一端が端子１１と接続されており、電気長がθ１で、特性インピーダンスがＺ２の第４の伝送線路である。
伝送線路３５は一端が端子１４と接続されており、電気長がθ２で、特性インピーダンスがＺ２の第５の伝送線路である。
伝送線路３６は一端が端子１３と接続されており、電気長がθ２で、特性インピーダンスがＺ２の第６の伝送線路である。
接続点３７は伝送線路３３の他端と伝送線路３４の他端とを電気的に接続している点である。
接続点３８は伝送線路３５の他端と伝送線路３６の他端とを電気的に接続している点である。
【００１３】
伝送線路３９は一端が接続点３７と接続されており、電気長が（λ／４）−θ１で、特性インピーダンスがＺ３の第７の伝送線路である。
伝送線路４０は一端が接続点３８と接続されており、電気長が（λ／４）−θ２で、特性インピーダンスがＺ３の第８の伝送線路である。
伝送線路４１は一端が伝送線路３９の他端と接続され、他端が伝送線路４０の他端と接続されており、電気長がλ／４で、特性インピーダンスがＺ４の第９の伝送線路である。
【００１４】
可変容量素子４２は伝送線路３９の他端とグランドとの間に接続されており、例えば、制御回路５０による電圧制御によって容量が可変する第１の可変容量素子である。
可変容量素子４３は伝送線路４０の他端とグランドとの間に接続されており、例えば、制御回路５０による電圧制御によって容量が可変する第２の可変容量素子である。
制御回路５０は可変容量素子４２，４３の容量を調整する回路である。
【００１５】
次に動作について説明する。
図１の高周波フィルタ回路１では、伝送線路３１，３２，４１の電気長が、所望の周波数で略９０度になるように設定されている。
即ち、入力端子２１，２２から入力される差動信号の波長がλであれば、伝送線路３１，３２，４１の電気長がλ／４に設定されている。この実施の形態１では、伝送線路３１，３２，４１の電気長がλ／４に設定されているものを想定しているが、電気長がλ／４が若干ずれていても、概ね同様の機能を果たすことができるので、実際には電気長が略λ／４に設定されていればよい。
【００１６】
伝送線路３３，３４の電気長は任意でよく、この実施の形態１では、伝送線路３３，３４の電気長がθ１に設定されている。
また、伝送線路３５，３６の電気長も任意でよく、この実施の形態１では、伝送線路３５，３６の電気長がθ２に設定されている。
このとき、伝送線路３９の電気長は、（λ／４）−θ１となるように設定され、伝送線路４０の電気長は、（λ／４）−θ２となるように設定されている。
【００１７】
このとき、伝送線路３１，３２の特性インピーダンスがＺ１、伝送線路３３〜３６の特性インピーダンスがＺ２、伝送線路３９，４０の特性インピーダンスがＺ３、伝送線路４１の特性インピーダンスがＺ４であり、下記の式（１）の関係を満足するように設定されている。
0006504925.tif 000002
したがって、例えば、Ｚ４＝５０Ωに設定された場合には、Ｚ１＝１００Ω、Ｚ２＝７０．７Ω、Ｚ３＝３５．３５Ωに設定される。
【００１８】
最初に、入力端子２１，２２から差動信号が入力された場合の動作を説明する。
図２は差動信号が入力された場合の高周波フィルタ回路の等価回路である。図２では、差動信号は、２線による逆位相の電気信号を意味し、差動信号に含まれている同相の不要波を無視している。
高周波フィルタ回路１は、入力端子２１，２２から差動信号が入力された場合、接続点３７，３８が仮想接地点になる。
このため、伝送線路３３，３４が電気長θ１のショートスタブとなり、伝送線路３５，３６が電気長θ２のショートスタブとなる。
【００１９】
これにより、高周波フィルタ回路１は、伝送線路３１，３２に対して、インダクタ又はコンデンサがシャントに接続されている回路と等価になる。したがって、高周波フィルタ回路１は、入力端子２１，２２から入力された差動信号に対して、整合回路の一部として動作する。即ち、高周波フィルタ回路１の入力側又は出力側に接続されるインダクタやコンデンサ等と、高周波フィルタ回路１とによって整合回路が構成される。
なお、可変容量素子４２，４３は、仮想接地点である接続点３７，３８の外側にあるため、制御回路５０によって、可変容量素子４２，４３の容量が調整されても、差動信号の位相は変化しない。
【００２０】
次に、入力端子２１，２２から同相の不要波が入力された場合の動作を説明する。
図３は同相の不要波が入力された場合の高周波フィルタ回路の等価回路である。
高周波フィルタ回路１は、入力端子２１，２２から同相の不要波が入力された場合、λ／４で構成された９０°ハイブリッドカプラ回路と、可変容量素子４２，４３とからなる可変移相器として動作する。
図３において、伝送線路６１は、図１における伝送線路３１と伝送線路３２の並列接続と等価であり、伝送線路６２は、図１における並列接続の伝送線路３３及び伝送線路３４と伝送線路３９との直列接続と等価である。また、伝送線路６３は、図１における並列接続の伝送線路３５及び伝送線路３６と伝送線路４０との直列接続と等価である。
伝送線路６１〜６３，４１からなる部分が９０°ハイブリッドカプラ回路である。
【００２１】
制御回路５０が可変容量素子４２，４３の容量が小さくなるように制御すると、出力端子２３，２４から出力される同相の不要波の位相が進み、可変容量素子４２，４３の容量が大きくなるように制御すると、出力端子２３，２４から出力される同相の不要波の位相が遅れるようになる。
このとき、同相の不要波を除く、いわゆる差動信号の位相自体は、可変容量素子４２，４３の容量が調整されても、上述したように変化しない。
【００２２】
ここで、図４は図１の高周波フィルタ回路１の適用例を示す説明図である。
図４の例では、２つの高周波フィルタ回路１の出力を差動同相合成器７０に接続している。
図４では、説明の便宜上、図中上側の高周波フィルタ回路１の符号を１Ａ、図中下側の高周波フィルタ回路１の符号を１Ｂで表記している。
差動同相合成器７０の第１の同相合成器７１は、高周波フィルタ回路１Ａの出力端子２３から出力された信号と高周波フィルタ回路１Ｂの出力端子２４から出力された信号とを同相合成して、その合成信号を出力端子７３に出力する。
差動同相合成器７０の第２の同相合成器７２は、高周波フィルタ回路１Ａの出力端子２４から出力された信号と高周波フィルタ回路１Ｂの出力端子２３から出力された信号とを同相合成して、その合成信号を出力端子７４に出力する。
【００２３】
このとき、高周波フィルタ回路１Ａの出力端子２３から出力された信号に含まれている同相の不要波と、高周波フィルタ回路１Ｂの出力端子２４から出力された信号に含まれている同相の不要波との位相差が１８０°であれば、第１の同相合成器７１において、同相の不要波がキャンセルされるため、出力端子７３から同相の不要波が出力されなくなる。
同様に、高周波フィルタ回路１Ａの出力端子２４から出力された信号に含まれている同相の不要波と、高周波フィルタ回路１Ｂの出力端子２３から出力された信号に含まれている同相の不要波との位相差が１８０°であれば、第２の同相合成器７２において、同相の不要波がキャンセルされるため、出力端子７４から同相の不要波が出力されなくなる。
したがって、高周波フィルタ回路１Ａ，１Ｂに接続されている制御回路５０が、位相差が１８０°になるように、高周波フィルタ回路１Ａ，１Ｂの可変容量素子４２，４３の容量を調整することで、同相の不要波を十分に抑圧することができる。
【００２４】
以上で明らかなように、この実施の形態１によれば、伝送線路３９の他端とグランドとの間に接続されている可変容量素子４２と、伝送線路４０の他端とグランドとの間に接続されている可変容量素子４３とを備え、制御回路５０が可変容量素子４２，４３の容量を調整するように構成したので、差動信号に含まれている同相の不要波の位相を調整することができる効果がある。したがって、高周波フィルタ回路１の特性が設計値からずれてしまっている状況下でも、同相の不要波を十分に抑圧することができるようになる。
【００２５】
実施の形態２．
この実施の形態２では、上記実施の形態１における図１の高周波フィルタ回路１が適用されている高周波ミクサについて説明する。
図５はこの発明の実施の形態２による高周波フィルタ回路を適用する高周波ミクサを示す構成図であり、図５において、図１と同一符号は同一または相当部分を示すので説明を省略する。
【００２６】
差動ＩＦ入力端子８１，８２は差動の中間周波数信号である差動ＩＦ信号が入力される端子である。
ＩＦ帯９０°分配器８３は差動ＩＦ入力端子８１，８２から入力された差動ＩＦ信号を分配して、分配後の差動ＩＦ信号である分配差動ＩＦ信号８４ａ，８４ｂ（第１の差動中間周波数信号）を偶高調波ミクサ９１に出力するとともに、分配差動ＩＦ信号８４ａ，８４ｂより位相が９０°進んでいる分配差動ＩＦ信号８５ａ，８５ｂ（第２の差動中間周波数信号）を偶高調波ミクサ９２に出力する第１の分配器である。
【００２７】
差動ＬＯ波入力端子８６，８７は差動の局部発振信号である差動ＬＯ波が入力される端子である。
ＬＯ帯４５°分配器８８は差動ＬＯ波入力端子８６，８７から入力された差動ＬＯ波を分配して、分配後の差動ＬＯ波である分配差動ＬＯ波８９ａ，８９ｂ（第１の差動局部発振信号）を偶高調波ミクサ９２に出力するとともに、分配差動ＬＯ波８９ａ，８９ｂより位相が４５°進んでいる分配差動ＬＯ波９０ａ，９０ｂ（第２の差動局部発振信号）を偶高調波ミクサ９１に出力する第２の分配器である。
【００２８】
偶高調波ミクサ９１はＩＦ帯９０°分配器８３から出力された分配差動ＩＦ信号８４ａ，８４ｂと、ＬＯ帯４５°分配器８８から出力された分配差動ＬＯ波９０ａ，９０ｂの２倍波である２ＬＯ波とを混合することで、差動ＲＦ信号９３ａ，９３ｂ（第１の差動無線周波数信号）を生成し、その差動ＲＦ信号９３ａ，９３ｂを高周波フィルタ回路９５に出力する第１の偶高調波ミクサである。
偶高調波ミクサ９２はＩＦ帯９０°分配器８３から出力された分配差動ＩＦ信号８５ａ，８５ｂとＬＯ帯４５°分配器８８から出力された分配差動ＬＯ波８９ａ，８９ｂの２倍波を混合することで、差動ＲＦ信号９４ａ，９４ｂ（第２の差動無線周波数信号）を生成し、その差動ＲＦ信号９４ａ，９４ｂを高周波フィルタ回路９６に出力する第２の偶高調波ミクサである。
この実施の形態２では、偶高調波ミクサ９１，９２として、ＣＥＣＣＴＰ（Ｃｏｍｍｏｎ  Ｅｍｉｔｔｅｒ  Ｃｏｍｍｏｎ  Ｃｏｌｌｅｃｔｏｒ  Ｔｒａｎｓｉｓｔｏｒ  Ｐａｉｒ）形の偶高調波ミクサを用いるものとする。
【００２９】
第１の高周波フィルタ回路である高周波フィルタ回路９５は図１の高周波フィルタ回路１と回路構成が同一であり、偶高調波ミクサ９１から出力された差動ＲＦ信号９３ａ，９３ｂが入力端子９５ａ，９５ｂに入力される。
高周波フィルタ回路９５の出力端子９５ｃ，９５ｄから出力される差動ＲＦ信号９７ａ，９７ｂはＲＦ帯同相合成器９９に入力される。
第２の高周波フィルタ回路である高周波フィルタ回路９６は図１の高周波フィルタ回路１と回路構成が同一であり、偶高調波ミクサ９２から出力された差動ＲＦ信号９４ａ，９４ｂが入力端子９６ａ，９６ｂに入力される。
高周波フィルタ回路９６の出力端子９６ｃ，９６ｄから出力される差動ＲＦ信号９８ａ，９８ｂはＲＦ帯同相合成器９９に入力される。
【００３０】
図５では記載を省略しているが、例えば、偶高調波ミクサ９１，９２の出力側には、差動信号に対して、整合回路の一部を構成するインダクタやコンデンサなどが接続されている。
この場合、偶高調波ミクサ９１の出力側に接続されているインダクタやコンデンサなどと、高周波フィルタ回路９５とから、差動信号に対する整合回路が構成される。
また、偶高調波ミクサ９２の出力側に接続されているインダクタやコンデンサなどと、高周波フィルタ回路９６とから、差動信号に対する整合回路が構成される。
【００３１】
ＲＦ帯同相合成器９９は第１の同相合成器１００と第２の同相合成器１０１から構成されており、高周波フィルタ回路９５から出力された差動ＲＦ信号９７ａ，９７ｂと高周波フィルタ回路９６から出力された差動ＲＦ信号９８ａ，９８ｂとを同相合成して、差動のＲＦ合成信号をＲＦ出力端子１０２，１０３に出力する同相合成器である。
ＲＦ出力端子１０２，１０３はＲＦ帯同相合成器９９により同相合成された差動のＲＦ合成信号を出力する端子である。
【００３２】
次に動作について説明する。
ＩＦ帯９０°分配器８３は、差動ＩＦ入力端子８１，８２から差動ＩＦ信号が入力されると、その差動ＩＦ信号を分配して、分配後の差動ＩＦ信号である分配差動ＩＦ信号８４ａ，８４ｂを偶高調波ミクサ９１に出力するとともに、分配差動ＩＦ信号８４ａ，８４ｂより位相が９０°進んでいる分配差動ＩＦ信号８５ａ，８５ｂを偶高調波ミクサ９２に出力する。
ＬＯ帯４５°分配器８８は、差動ＬＯ波入力端子８６，８７から差動ＬＯ波が入力されると、その差動ＬＯ波を分配して、分配後の差動ＬＯ波である分配差動ＬＯ波８９ａ，８９ｂを偶高調波ミクサ９２に出力するとともに、分配差動ＬＯ波８９ａ，８９ｂより位相が４５°進んでいる分配差動ＬＯ波９０ａ，９０ｂを偶高調波ミクサ９１に出力する。
【００３３】
偶高調波ミクサ９１と偶高調波ミクサ９２は同等の特性を有する混合器であり、偶高調波ミクサ９１は、ＩＦ帯９０°分配器８３から出力された分配差動ＩＦ信号８４ａ，８４ｂと、ＬＯ帯４５°分配器８８から出力された分配差動ＬＯ波９０ａ，９０ｂの２倍波である２ＬＯ波とを混合することで、差動ＲＦ信号９３ａ，９３ｂを生成し、その差動ＲＦ信号９３ａ，９３ｂを高周波フィルタ回路９５に出力する。
また、偶高調波ミクサ９２は、ＩＦ帯９０°分配器８３から出力された分配差動ＩＦ信号８５ａ，８５ｂとＬＯ帯４５°分配器８８から出力された分配差動ＬＯ波８９ａ，８９ｂの２倍波を混合することで、差動ＲＦ信号９４ａ，９４ｂを生成し、その差動ＲＦ信号９４ａ，９４ｂを高周波フィルタ回路９６に出力する。
ここで、偶高調波ミクサ９１，９２は、ＣＥＣＣＴＰ形の偶高調波ミクサであるため、偶高調波ミクサ９１から出力される差動ＲＦ信号９３ａ，９３ｂ及び偶高調波ミクサ９２から出力される差動ＲＦ信号９４ａ，９４ｂの周波数は、主に、２ＬＯ＋ＩＦ（所望波の周波数）と２ＬＯ−ＩＦ（イメージ周波数）であるが、２ＬＯの同相波（例えば、ノイズ）も含まれている。
【００３４】
したがって、高周波フィルタ回路９５，９６の入力端子９５ａ，９５ｂ，９６ａ，９６ｂにおける差動ＲＦ信号の周波数の位相関係は、下記のようになる。
２LO＋IF    ２LO-IF     ２LO
高周波フィルタ回路９５の入力端子９５ａ      ９０°      ９０°    ９０°
高周波フィルタ回路９５の入力端子９５ｂ    −９０°    −９０°    ９０°
高周波フィルタ回路９６の入力端子９６ａ      ９０°    −９０°      ０°
高周波フィルタ回路９６の入力端子９６ｂ    −９０°      ９０°      ０°
【００３５】
高周波フィルタ回路９５，９６は、差動ＲＦ信号に対しては整合回路として機能するため、差動ＲＦ信号９７ａ，９７ｂ及び差動ＲＦ信号９８ａ，９８ｂに含まれている２ＬＯ＋ＩＦ（所望波の周波数）と２ＬＯ−ＩＦ（イメージ周波数）は、位相が変化することなく、ＲＦ帯同相合成器９９に出力される。
一方、２ＬＯの同相波に対しては可変移相器として機能するため、高周波フィルタ回路９５，９６における可変容量素子４２，４３の容量を調整することで、高周波フィルタ回路９５，９６から出力される２ＬＯの同相波の位相が変化する。
【００３６】
例えば、制御回路５０が、高周波フィルタ回路９５，９６における可変容量素子４２，４３の容量を調整することで、高周波フィルタ回路９５，９６の出力端子９５ｃ，９５ｄ，９６ｃ，９６ｄにおける差動ＲＦ信号の周波数の位相関係を下記のように設定する。
２LO＋IF    ２LO-IF      ２LO
高周波フィルタ回路９５の出力端子９５ｃ      ９０°      ９０°    １３５°
高周波フィルタ回路９５の出力端子９５ｄ    −９０°    −９０°    １３５°
高周波フィルタ回路９６の出力端子９６ｃ      ９０°    −９０°    −４５°
高周波フィルタ回路９６の出力端子９６ｄ    −９０°      ９０°    −４５°
【００３７】
製造時の寸法誤差などの影響で、高周波フィルタ回路９５，９６の特性が設計値からずれていなければ、高周波フィルタ回路９５から出力される２ＬＯの同相波の位相を４５°進めて、高周波フィルタ回路９６から出力される２ＬＯの同相波の位相を４５°遅らすようにすれば、高周波フィルタ回路９５，９６の出力端子９５ｃ，９５ｄ，９６ｃ，９６ｄにおける差動ＲＦ信号の周波数の位相関係は上記のようになる。
したがって、製造時の寸法誤差などの影響で、高周波フィルタ回路９５，９６の特性が設計値からずれている状況下では、上記の位相関係を設定するために、高周波フィルタ回路９５から出力される２ＬＯの同相波の位相の進みを４４°や４６°などにする場合が考えられる。また、高周波フィルタ回路９６から出力される２ＬＯの同相波の位相の遅れを４４°や４６°などにする場合が考えられる。
【００３８】
ＲＦ帯同相合成器９９は、高周波フィルタ回路９５から出力された差動ＲＦ信号９７ａ，９７ｂと高周波フィルタ回路９６から出力された差動ＲＦ信号９８ａ，９８ｂとを同相合成する。
ここで、ＲＦ帯同相合成器９９の第１の同相合成器１００は、高周波フィルタ回路９５の出力端子９５ｃから出力された差動ＲＦ信号９７ａと、高周波フィルタ回路９６の出力端子９６ｃから出力された差動ＲＦ信号９８ａとを同相合成するが、差動ＲＦ信号９７ａに含まれている２ＬＯ＋ＩＦ（所望波の周波数）と、差動ＲＦ信号９８ａに含まれている２ＬＯ＋ＩＦ（所望波の周波数）とは、共に位相が９０°であるため、相殺されることなく同相合成され、その合成信号がＲＦ出力端子１０２から出力される。
また、第２の同相合成器１０１は、高周波フィルタ回路９５の出力端子９５ｄから出力された差動ＲＦ信号９７ｂと、高周波フィルタ回路９６の出力端子９６ｄから出力された差動ＲＦ信号９８ｂとを同相合成するが、差動ＲＦ信号９７ｂに含まれている２ＬＯ＋ＩＦ（所望波の周波数）と、差動ＲＦ信号９８ｂに含まれている２ＬＯ＋ＩＦ（所望波の周波数）とは、共に位相が−９０°であるため、相殺されることなく同相合成され、その合成信号がＲＦ出力端子１０３から出力される。
【００３９】
高周波フィルタ回路９５の出力端子９５ｃから出力された差動ＲＦ信号９７ａに含まれている２ＬＯ−ＩＦ（イメージ周波数）の位相が９０°であるのに対して、高周波フィルタ回路９６の出力端子９６ｃから出力された差動ＲＦ信号９８ａに含まれている２ＬＯ−ＩＦ（イメージ周波数）の位相が−９０°であり、それらの位相差が１８０°である。このため、第１の同相合成器１００で同相合成されることで、２ＬＯ−ＩＦ（イメージ周波数）が相殺され、２ＬＯ−ＩＦ（イメージ周波数）がＲＦ出力端子１０２から出力されない。
また、高周波フィルタ回路９５の出力端子９５ｄから出力された差動ＲＦ信号９７ｂに含まれている２ＬＯ−ＩＦ（イメージ周波数）の位相が−９０°であるのに対して、高周波フィルタ回路９６の出力端子９６ｄから出力された差動ＲＦ信号９８ｂに含まれている２ＬＯ−ＩＦ（イメージ周波数）の位相が９０°であり、それらの位相差が１８０°である。このため、第２の同相合成器１０１で同相合成されることで、２ＬＯ−ＩＦ（イメージ周波数）が相殺され、２ＬＯ−ＩＦ（イメージ周波数）がＲＦ出力端子１０３から出力されない。
【００４０】
高周波フィルタ回路９５の出力端子９５ｃから出力された差動ＲＦ信号９７ａに含まれている２ＬＯの同相波の位相が１３５°であるのに対して、高周波フィルタ回路９６の出力端子９６ｃから出力された差動ＲＦ信号９８ａに含まれている２ＬＯの同相波の位相が−４５°であり、それらの位相差が１８０°である。このため、第１の同相合成器１００で同相合成されることで、２ＬＯの同相波が相殺され、２ＬＯの同相波がＲＦ出力端子１０２から出力されない。
また、高周波フィルタ回路９５の出力端子９５ｄから出力された差動ＲＦ信号９７ｂに含まれている２ＬＯの同相波の位相が１３５°であるのに対して、高周波フィルタ回路９６の出力端子９６ｄから出力された差動ＲＦ信号９８ｂに含まれている２ＬＯの同相波の位相が−４５°であり、それらの位相差が１８０°である。このため、第２の同相合成器１０１で同相合成されることで、２ＬＯの同相波が相殺され、２ＬＯの同相波がＲＦ出力端子１０３から出力されない。
【００４１】
以上で明らかなように、この実施の形態２によれば、ＲＦ帯同相合成器９９が、高周波フィルタ回路９５から出力された差動ＲＦ信号９７ａ，９７ｂと高周波フィルタ回路９６から出力された差動ＲＦ信号９８ａ，９８ｂと同相合成して、差動のＲＦ合成信号をＲＦ出力端子１０２，１０３に出力するように構成したので、２ＬＯ−ＩＦ（イメージ周波数）と２ＬＯの同相波をキャンセルして、２ＬＯ＋ＩＦ（所望波の周波数）を取り出すことができる効果を奏する。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１，１Ａ，１Ｂ  高周波フィルタ回路、１１〜１４  端子、２１  入力端子（第１の入力端子）、２２  入力端子（第２の入力端子）、２３  出力端子（第１の出力端子）、２４  出力端子（第２の出力端子）、３１  伝送線路（第１の伝送線路）、３２  伝送線路（第２の伝送線路）、３３  伝送線路（第３の伝送線路）、３４  伝送線路（第４の伝送線路）、３５  伝送線路（第５の伝送線路）、３６  伝送線路（第６の伝送線路）、３７，３８  接続点、３９  伝送線路（第７の伝送線路）、４０  伝送線路（第８の伝送線路）、４１  伝送線路（第９の伝送線路）、４２  可変容量素子（第１の可変容量素子）、４３  可変容量素子（第２の可変容量素子）、５０  制御回路、６１〜６３  伝送線路、７０  差動同相合成器、７１  第１の同相合成器、７２  第２の同相合成器、７３，７４  出力端子、８１，８２  差動ＩＦ入力端子、８３  ＩＦ帯９０°分配器（第１の分配器）、８４ａ，８４ｂ  分配差動ＩＦ信号（第１の差動中間周波数信号）、８５ａ，８５ｂ  分配差動ＩＦ信号（第２の差動中間周波数信号）、８６，８７  差動ＬＯ波入力端子、８８  ＬＯ帯４５°分配器（第２の分配器）、８９ａ，８９ｂ  分配差動ＬＯ波（第１の差動局部発振信号）、９０ａ，９０ｂ  分配差動ＬＯ波（第２の差動局部発振信号）、９１  偶高調波ミクサ（第１の偶高調波ミクサ）、９２  偶高調波ミクサ（第２の偶高調波ミクサ）、９３ａ，９３ｂ  差動ＲＦ信号（第１の差動無線周波数信号）、９４ａ，９４ｂ  差動ＲＦ信号（第２の差動無線周波数信号）、９５  高周波フィルタ回路（第１の高周波フィルタ回路）、９５ａ，９５ｂ  高周波フィルタ回路９５の入力端子、９５ｃ，９５ｄ  高周波フィルタ回路９５の出力端子、９６  高周波フィルタ回路（第２の高周波フィルタ回路）、９６ａ，９６ｂ  高周波フィルタ回路９６の入力端子、９６ｃ，９６ｄ  高周波フィルタ回路９６の出力端子、９７ａ，９７ｂ  差動ＲＦ信号、９８ａ，９８ｂ  差動ＲＦ信号、９９  ＲＦ帯同相合成器（同相合成器）、１００  第１の同相合成器、１０１  第２の同相合成器、１０２，１０３  ＲＦ出力端子。
【図１】
0006504925.tif 000003
【図２】
0006504925.tif 000004
【図３】
0006504925.tif 000005
【図４】
0006504925.tif 000006
【図５】
0006504925.tif 000007